(57)【特許請求の範囲】
【請求項１】
棒状の筆記具の長手方向の一端部にペン先が配置される前記筆記具であって、
一端部に前記ペン先を備え、前記筆記具の長手方向に沿うように配置されるペン芯と、
前記筆記具の長手方向の中間部の外郭の一部を成し、一端部に第１挟持部を備え、他端部が前記筆記具の長手方向に沿う揺動軸線を中心に揺動可能に支持される第１外郭部と、
前記筆記具の長手方向の中間部の外郭の一部を成し、一端部に前記第１挟持部と一対となる第２挟持部を備え、他端部が前記揺動軸線を中心に揺動可能に支持される第２外郭部と、
を具備し、
前記第１挟持部に対して前記第２挟持部が近づく方向に働く付勢力を有し、
前記付勢力によって前記第１挟持部に対して前記第２挟持部が近づいた状態において、一対の前記第１外郭部及び前記第２外郭部は略棒形状を成す、
筆記具。
【請求項２】
前記筆記具の長手方向に対して前記略棒形状の長手方向が沿う、
請求項１に記載の筆記具。
【請求項３】
前記ペン芯の中心軸線及び前記揺動軸線は略同心である、
請求項１から請求項２のいずれかに記載の筆記具。
【請求項４】
前記第１外郭部に接続される第１指掛部と、
前記第２外郭部に接続される第２指掛部と、
を具備する、
請求項１から請求項３のいずれかに記載の筆記具。
【発明の詳細な説明】
【技術分野】
【０００１】
本発明は、クリップの機能を有する筆記具に関する。
【背景技術】
【０００２】
筆記具においては、特許文献１の実施例のように、筆記具の長手方向に対して垂直な揺動軸線を中心に揺動可能な揺動片によってクリップを構成する案が知られている。
また、特許文献１の実施例のように、ペン芯の直径よりもかなり大きな直径の外郭部を指で摘ませることによって、ペン芯を最適設計しながら外郭部の摘みやすさを追求するような案が知られている。
【０００３】
【特許文献１】特開２００７−００１０９８号公報
【０００４】
また、特許文献２の実施例のように、円筒形状の筆記具の蓋を揺動軸としてクリップが構成される案が知られている。
また、特許文献３又は４の実施例のように、棒状の筆記具の一端部にペン先が配置され、他端部に筆記具の長手方向に沿う揺動軸線を中心に揺動可能なクリップが構成される案が知られている。
【０００５】
【特許文献２】実開平０６−００５９８９号公報
【特許文献３】特開２００７−０３０３９８号公報
【特許文献４】実開昭６１−０７７２８７号公報
【発明の開示】
【発明が解決しようとする課題】
【０００６】
筆記具においては、筆記時は比較的大きな直径の外郭部が摘みやすいので好まれるが、移動時には出来るだけ小さな直径の外郭部のものが収納しやすいので好まれる。しかし、これらを両立させるのは難しく、移動時には大きな直径の外郭部の内部空間を有効利用できていない。また、移動時は手帳等に筆記具のクリップで留めることが多いが、端部に配置されるクリップだけでは筆記具が振動等で動いてしまうことが多く、移動時に手帳が開いてしまうことがある。
【課題を解決するための手段】
【０００７】
本発明の実施形態図等を用いて以下に説明するが、これは本発明の内容をより把握しやすいようにする為で、添付の特許請求の範囲を縮小するものではない。
【０００８】
発明１に係る筆記具は、例えば図１から３のように、
棒状の筆記具１の長手方向の一端部にペン先２が配置される筆記具１であって、
一端部にペン先２を備え、筆記具１の長手方向に沿うように配置されるペン芯４と、
筆記具１の長手方向の中間部の外郭の一部を成し、一端部に挟持部５を備え、他端部が筆記具１の長手方向に沿う揺動軸線３を中心に揺動可能に支持される外郭部７と、
筆記具１の長手方向の中間部の外郭の一部を成し、一端部に挟持部５と一対となる挟持部６を備え、他端部が揺動軸線３を中心に揺動可能に支持される外郭部８と、
を具備し、
挟持部５に対して挟持部６が近づく方向に働く付勢力を有し、
前記付勢力によって挟持部５に対して挟持部６が近づいた例えば図１から３のような状態において、一対の外郭部７及び８は略棒形状を成す、
筆記具である。
【０００９】
ここで、筆記具とは鉛筆、芯を送り出すタイプの鉛筆、フェルトペン、万年筆、ボールペン、修正ペン、芯を送り出すタイプの消しゴム、化粧用のペン等である。
【００１０】
発明２に係る筆記具は、発明１の筆記具において、例えば図１から３のように、
筆記具１の長手方向に対して前記略棒形状の長手方向が沿う、
筆記具である。
【００１１】
発明３に係る筆記具は、発明１から２のいずれかの筆記具において、例えば図１から３のように、
ペン芯４の中心軸線２８及び揺動軸線３は略同心である、
筆記具である。
【００１２】
発明４に係る筆記具は、発明１から３のいずれかの筆記具において、例えば図１から３のように、
外郭部７に接続される指掛部９と、
外郭部８に接続される指掛部１０と、
を具備する、
筆記具である。
【発明の効果】
【００１３】
以上のように本発明では、比較的大きな直径の一対の外郭部７及び８によって筆記時の使いやすさを重視しても、移動時には例えば手帳の端部を挟持部５及び６で挟んで筆記具１が手帳の端部に沿うように配置してやれば内部空間２６に手帳の端部が入り込んで、手帳及び筆記具１全体としてコンパクトで、且つしっかりと手帳に留まるような筆記具の設計が容易となる。
【００１４】
また発明３では、本発明の効果に加えて、よりコンパクトで合理的な筆記具の設計が可能となる。
【００１５】
また発明４では、本発明の効果に加えて、指掛部９及び１０を摘むことによる簡便な挟持操作が可能となる。
【発明を実施するための最良の形態】
【００１６】
〔第１実施形態〕
図１から３において、筆記具１はノック式のボールペンであり、円筒２７、円筒２７内部のインク２４、及び円筒２７の一端部に接続されるペン先２、を備えるペン芯４は、ノック部２２等から構成されるノック機構と共に、揺動軸線３を中心とする円筒形状の軸部２５の内部に収容されている。ここで、ペン芯４の中心軸線２８及び揺動軸線３は同心となっている。また軸部２５の一端部及び他端部にはそれぞれ軸部２５よりも直径の大きい抜け止め２０及び２１が接続されている。
また、円筒形状を縦割りに二分割したような外郭部７及び８の対は、それぞれの一端部の挟持部５及び６に設けられた波状の嵌合形状によって嵌合しており、それぞれの他端部に沿うように設けられた溝形状１５及び１６に軸部２５の外周が嵌合しており、外郭部７及び８の外周にそれぞれ当接部１１及び１２が当接するＣ字状バネの付勢部材２３が設置されている。
また、外郭部７及び８それぞれの他端部外周には突起状の指掛部９及び１０が一体に接続されており、指掛部９及び１０の外側を摘むことで挟持部５及び６の間が開き、付勢部材２３の発生する付勢力は増加する。
【００１７】
〔その他の実施形態〕
第１実施形態において、図４のように溝形状１５及び１６の替わりに貫通穴１７及び１８を設け、これらを貫通するように軸部２５を通してから抜け止め２０及び２１を接続するような案が考えられる。ここで、付勢力を第１実施形態と同様にＣ字状バネによって得る案以外にも、指掛部９及び１０の内側に圧縮コイルバネ又はネジリコイルバネ等の付勢部材を設置する案が考えられる。
また、外郭部７及び８の他端部を一体成形して、外郭部７及び８の素材の弾力性による付勢力を利用する案が考えられる。ここで、軸部２５も外郭部７及び８の他端部と一体成形しても良い。
【００１８】
第１実施形態において、例えばノック式でないボールペンのように、軸部２５の内部でペン芯４が揺動軸線３方向に直線運動する必要が無い場合は、軸部２５を取り去って円筒２７を軸部２５の替わりに使用すれば良い。
また、軸部２５を外郭部７又は８と一体成形する等しても良い。
また、軸部２５の内部で軸部２５の径方向にペン芯４が移動すれば、揺動軸線３及び中心軸線２８は同心ではなくなるが、略同心といえるだろう。
また、軸部２５を残してペン芯４を外郭部７又は８の中間部に移動させれば、揺動軸線３及び中心軸線２８は略同心ではなくなる。
また、指掛部９及び１０を設けない場合は、手帳等の被挟持物の端部を挟持部５及び６の端２９又は３０から差し入れるようにすれば良い。
また、外郭部７及び８の対から成る円筒形状は、従来の筆記具に用いられてきた例えば多角形状又は涙形状等の様々な筒形状であっても良い。
また、端２９及び３０付近で積極的に被挟持物を挟持させる為に、挟持部５及び６の中央部付近を常に大きく開けておいても良い。
【００１９】
第１実施形態において、ノック式のボールペンをその他の筆記具に設計変更することは当業者には容易であるので、詳しい記載は省略する。
【図面の簡単な説明】
【００２０】
【図１】第１実施形態を第三角法で表す図
【図２】図１の線分Ａ−Ａ断面図
【図３】図１の線分Ｂ−Ｂ矢視図
【図４】第１実施形態の変更案の線分Ａ−Ａ断面図
【符号の説明】
【００２１】
１.                                                    筆記具
２.                                                    ペン先
３.                                                    揺動軸線
４.                                                    ペン芯
５,６.                                                挟持部
７,８.                                                外郭部
９,１０.                              指掛部
１１,１２.                                        当接部
１３,１４,１７,１８.                       貫通穴
１５,１６.                                        溝形状
２０,２１.                                        抜け止め
２２.                                                 ノック部
２３.                                                 付勢部材
２４.                                                 インク
２５.                                                 軸部
２６.                                                 内部空間
２７.                                                 円筒
２８.                                                 中心軸線
２９,３０.                                        端
【要約】
【課題】    筆記具においては、筆記時は比較的大きな直径の外郭部が摘みやすいので好まれるが、移動時には出来るだけ小さな直径の外郭部のものが収納しやすいので好まれる。しかし、これらを両立させるのは難しく、移動時には大きな直径の外郭部の内部空間を有効利用できていない。また、移動時は手帳等に筆記具のクリップで留めることが多いが、端部に配置されるクリップだけでは筆記具が振動等で動いてしまうことが多く、移動時に手帳が開いてしまうことがある。
【解決手段】  棒状の筆記具（１）の中間部の外郭の一部をクリップとして利用する。
【選択図】          図１【図１】
0004025360.tif 000002
【図２】
0004025360.tif 000003
【図３】
0004025360.tif 000004
【図４】
0004025360.tif 000005